(57)【要約】  安全かみそり（１０は）は、ハンドル（１２）と、ハウジング（１６）及びコネクタ（２０）を有するかみそりカートリッジ（１４）とを有する。コネクタは、開口部（５２）と、該開口部の反対側で凹部の端部の遠隔部（５６）とを備える凹部（５０）を含む。ハンドルは、ユーザー操作ボタンに結合した第１のエジェクタ（４０）を含み、第１のエジェクタの遠位端部（４６）は、凹部の遠隔部の内面に接触するようになっている。また、ボタンは、凹部の開口部に接触するように構成された第２のエジェクタ構造体（８０）を含む。ボタンが操作されると、凹部の遠隔部の表面に接触してこれを押す第１のエジェクタの遠位端部と、凹部の開口部に接触してこれを押す第２のエジェクタ構造体とは、協働してかみそりカートリッジをハンドルから分離するように作用する。【選択図】      図４
2021504042.tif 000002
【特許請求の範囲】
【請求項１】
ハンドグリップ構造体（３０）と、前記ハンドグリップ構造体（３０）に沿って摺動可能でありかつこれに結合されたユーザー操作ボタン（４２）で作動可能な第１のエジェクタ（４０）とを有するハンドル（１２）と、
前記ハンドル（１２）に結合されてかみそり刃（１８）を保持するハウジング（１６）と、コネクタ（２０）とを備え、コネクタ（２０）が凹部（５０）を有し、前記凹部（５０）がリム（５４）を有する開口部（５２）と、前記開口部（５２）の反対側で凹部（５０）の端部の遠隔部（５６）とを含む、かみそりカートリッジ（１４）と、
を備える安全かみそり（１０）であって、
前記ボタン（４２）が操作されると、前記第１のエジェクタ（４０）の遠位端部（４６）は、前記凹部（５０）の前記遠隔部（５６）の内面（５８）に接触してこれを押し、
前記ボタン（４２）は第２のエジェクタ構造体（８０）をさらに備え、前記ボタン（４２）が操作されると、前記第２のエジェクタ構造体（８０）は、前記凹部（５０）の前記開口部（５２）に接触してこれを押し、
前記凹部（５０）の前記遠隔部（５６）の前記内面（５８）に接触してこれを押す前記第１のエジェクタ（４０）の前記遠位端部（４６）と、前記凹部（５０）の前記開口部（５２）に接触してこれを押す前記第２のエジェクタ構造体（８０）とは、協働して前記かみそりカートリッジ（１４）を前記ハンドル（１２）から分離するように作用する、安全かみそり（１０）。
【請求項２】
前記第１のエジェクタ（４０）は、Ｕ形状に構成された一対の脚部（４４）を備え、前記脚部（４４）は、前記安全かみそり（１０）の中心面（２２）の反対側に配置され、前記脚部（４４）の各々の遠位端部（４６）は、前記凹部（５０）の前記遠隔部（５６）の前記内面（５８）に接触するように構成される、請求項１に記載の安全かみそり（１０）。
【請求項３】
前記第２のエジェクタ構造体（８０）は、前記ボタン（４２）に一体形成される、請求項１又は２に記載の安全かみそり（１０）。
【請求項４】
前記第２のエジェクタ構造体（８０）は、前記ボタン（４２）に結合される、請求項１又は２に記載の安全かみそり（１０）。
【請求項５】
前記第２のエジェクタ構造体（８０）は、前記ハンドル（１２）の溝（８２）に収容されかつこれに沿って摺動可能である、請求項１から４のいずれかに記載の安全かみそり（１０）。
【請求項６】
前記ボタン（４２）が操作されると、前記第１のエジェクタ（４０）の前記遠位端部（４６）は、前記第２のエジェクタ構造体（８０）が前記凹部（５０）の前記開口部（５２）に接触すると同時に、前記凹部（５０）の前記遠隔部（５６）の前記内面（５８）に接触する、請求項１から５のいずれかに記載の安全かみそり（１０）。
【請求項７】
取り出しの間に前記ハンドル（１２）から離れる前記かみそりカートリッジ（１４）の移動経路（９０）は非直線である、請求項１から６のいずれかに記載の安全かみそり（１０）。
【請求項８】
前記第２のエジェクタ構造体（８０）は、複数の箇所で前記凹部（５０）の前記開口部（５２）に接触する、請求項１から７のいずれかに記載の安全かみそり（１０）。
【請求項９】
前記第２のエジェクタ構造体（８０）は、前記凹部（５０）の前記開口部（５２）に前記リム（５４）において接触する、請求項１から８のいずれかに記載の安全かみそり（１０）。
【発明の詳細な説明】
【技術分野】
【０００１】
本開示は、安全かみそり及び安全かみそりハンドルに関し、より詳細には、ハンドルに装着されたかみそりカートリッジを取り出すための機構を含むかみそりハンドルに関する。
【背景技術】
【０００２】
安全かみそりとしても知られている多くの最新の湿式髭剃かみそりは、ハンドルと該ハンドルに装着されたかみそりカートリッジとを備える。一部のかみそりは、いわゆる使い捨てかみそりであり、ハンドル及びかみそりカートリッジは使用後に一緒に処分される。他のかみそりは、再利用できるハンドルと、使用後に処分されて新しいカートリッジと交換することができる取り外し可能かみそりカートリッジとを含むいわゆるシステムの形態とすることができる。
【０００３】
米国特許第５，７８７，５８６号は、かみそり刃を保持するハウジングと、ハウジングを枢動可能に支持する相互結合部材としても知られているコネクタとを含むかみそりカートリッジを有する髭剃システムを開示する。かみそりハンドルは、コネクタの凹部に係合するカートリッジ支持構造をもたらす、概して広くて平らな伸長部を有する。コネクタは、凹部の入口よりも凹部の遠端の近くに配置された係合可能な戻り止め及び窪みによって伸長部にスナップ嵌合する。ハンドルは、ユーザー操作ボタンによって作動するＵ形状のエジェクタを有する。作動時、ジェクタの脚部の遠位端は、凹部の遠端で壁に作用して、ハウジングに関して伸長部からコネクタを押し動かしてスナップ嵌合を解除し、ユーザーがかみそりカートリッジを取り外す（及び交換する）のを可能にする。
【０００４】
米国特許第４，４４６，６１９号は、かみそり刃を保持するハウジングを含むかみそりカートリッジと、ハウジングと一体で剛体的に形成されたコネクタ構造とを有する他の髭剃システムを開示する。かみそりハンドルは、コネクタの凹部と係合するカートリッジ支持構造を提供する概して幅広で平らな伸長部を有する。コネクタは、遠端よりも凹部の入口の近くに配置された係合可能な戻り止め及び窪みによってスナップ嵌合様式で伸長部に嵌合する。ハンドルは、ユーザー操作可能なプッシャーを有し、その自由端は、入口のリムの片側に作用する。作動時、プッシャーの自由端は、リムに作用してハウジングに関して伸長部からコネクタを押し、スナップ嵌合を解除してユーザーがかみそりカートリッジを取り外す（及び交換する）のを可能にする。
【０００５】
米国公開第２０１６／０１０１５３１号（現在、米国特許第９，９９９，９８１号）は、種々のかみそりカートリッジに受け入れ可能なユニバーサルかみそりハンドルを有する別の髭剃システムを開示し、各々は、それぞれ異なるコネクタ上にかみそり刃を保持するハウジングを含む。かみそりハンドルは、上記の米国特許第４，４４６，６１９号と類似し得る方法で第１のカートリッジコネクタの凹部と係合する第１のカートリッジ支持構造を提供する伸長部を有する。また、かみそりハンドルは、第２のカートリッジコネクタの凹部に係合する第２のカートリッジ支持構造を提供する離間したパネルを有する。一部の実施形態において、各パネルは、それぞれ第２のカートリッジコネクタの窪みに係合する戻り止めを有する。ハンドルは、ユーザー操作可能ボタンによって作動されるＵ形状のエジェクタを有する。作動時、エジェクタの脚部の遠位端は、ハンドルに取り付けられたようなタイプのいずれか一方のカートリッジコネクタの凹部の遠端で壁に作用し、ハウジングに関して伸長部からコネクタを押し、それぞれの係合を切り離してユーザーがかみそりカートリッジを取り外す（及び交換する）のを可能にする。
【０００６】
米国公開第２０１６／０１０１５３１号（米国特許第９，９９９，９８１号）の一部の実施形態において、第２のカートリッジコネクタの窪みは、凹部の遠端よりもこのコネクタの入口の近くに配置することができる。エジェクタの作動時、エジェクタ脚部の遠位端は、凹部の遠端の壁を押すよう作用する。この圧力は、コネクタ内に応力を加えることができ、結果的にコネクタの入口幅（対向する窪みの間で定められる）が減少する。これは、さらにコネクタ凹部（及びその窪み）の離間したパネル（及びその戻り止め）に対する摩擦係合を増大させ、かみそりカートリッジをハンドルから上手く取り外すのに必要なユーザーが付加するボタン力が不適正に増大する。
【先行技術文献】
【特許文献】
【０００７】
【特許文献１】米国特許第５，７８７，５８６号
【特許文献２】米国特許第４，４４６，６１９号
【特許文献３】米国公開第２０１６／０１０１５３１号
【発明の概要】
【発明が解決しようとする課題】
【０００８】
本開示の目的は、ハンドル及びかみそりカートリッジを備える安全かみそりを提供することによる従来の制約をなくす又は少なくとも実質的に緩和することにある。
【課題を解決するための手段】
【０００９】
本開示の一態様によれば、ハンドルは、ハンドグリップ構造体と、ハンドグリップ構造体に沿って摺動可能でありかつこれに結合されたユーザー操作ボタンで作動可能な第１のエジェクタとを有する。かみそりカートリッジは、ハンドルに結合され、かみそり刃を保持するハウジングと、コネクタとを備える。コネクタは凹部を有し、凹部はリムを有する開口部と、開口部の反対側で凹部の端部の遠隔部とを含む。ボタンが操作されると、第１のエジェクタの遠位端部は、凹部の遠隔部の内面に接触してこれを押す。ボタンは第２のエジェクタ構造体をさらに備え、ボタンが操作されると、第２のエジェクタ構造体は、凹部の開口部に接触してこれを押す。凹部の遠隔部の内面に接触してこれを押す第１のエジェクタの遠位端部と、凹部の開口部に接触してこれを押す第２のエジェクタ構造体とは、協働してかみそりカートリッジをハンドルから分離するように作用する、
【００１０】
本開示の他の態様によれば、第１のエジェクタは、Ｕ形状に構成された一対の脚部を備え、脚部は、安全かみそりの中心面の反対側に配置され、脚部の各々の遠位端部は、凹部の遠隔部の内面に接触するように構成される。
【００１１】
上記態様のいずれかにおいて、第２のエジェクタ構造体は、ボタンに一体形成されるか又はこれに結合される。
【００１２】
いずれかの態様及び本明細書に記載の実施形態において、ボタンが操作されると、第１のエジェクタの遠位端部は、第２のエジェクタ構造体が凹部の開口部に接触すると同時に、凹部の遠隔部の内面）に接触する。
【００１３】
いずれかの態様及び本明細書に記載の実施形態において、取り出しの間にハンドルから離れるかみそりカートリッジの移動経路は非直線である。
【００１４】
いずれかの態様及び本明細書に記載の実施形態において、第２のエジェクタ構造体は、複数の箇所で凹部の開口部に接触する。
【００１５】
いずれかの態様及び本明細書に記載の実施形態において、第２のエジェクタ構造体は、凹部の開口部にリムにおいて接触する。
【００１６】
作動時、第１のエジェクタ及び第２のエジェクタ構造体の複合作用は、何らかの増大した係合力を解消して、ユーザーが、許容できるユーザー付与力でカートリッジをハンドルから取り外すのを可能にする。本開示の上記及び他の利点は、当業者であれば、以下の詳細な説明及び図面を踏まえて理解することができるはずである。
【００１７】
添付図面が参照され、全体を通して同じ参照符号を有する要素は類似の要素を示す。
【図面の簡単な説明】
【００１８】
【図１】安全かみそりの正面図である。
【図２】図１の安全かみそりの側面図である。
【図３】コネクタの概略図である。
【図４】図１のかみそりハンドルのみの斜視図である。
【図５】図１のかみそりハンドルのみの斜視図であり、ボタンは「取り出し」位置にある。
【図６】図１のライン６−６に沿った断面図である。
【図７】図１のライン６−６に沿った断面図であり、ボタンは図５の位置にある。
【図８】他のコネクタ及びエジェクタの概略断面図である。
【発明を実施するための形態】
【００１９】
図面、特に１−２を参照すると、安全かみそり１０が示されている。安全かみそり１０は、かみそりカートリッジ（カートリッジ）１４が結合されるハンドル１２を備える。各図面及び図４−７において、ハンドル１２は、単に適切な縮尺でこれらの図面を示すのに好都合なように先端を切り取って示されており、本発明は、このハンドル１２の長さ及び形状に対して限定されない。かみそりカートリッジ１４は、その中に装着された１又は２以上のかみそり刃１８を保持するハウジング１６を備える。ハウジング１６は、コネクタ２０で支持される。図示の実施形態において、ハウジング１６は、コネクタ２０で枢動可能に支持することができ、ハウジング１６は、枢動軸の周りでコネクタ２０に対して枢動することができる。図示の実施形態において、ハウジング１６は、従来技術で示されるようにシェル軸受から成る枢動支持構造を有するが、本開示は、この点に限定される必要はなく、他の支持方法、例えばピンインホール及び所謂一体ヒンジは本開示の範疇にある。また、ハウジング１６は、米国特許第６，０２６，５７７号に示されるように、剛結合すること、すなわちコネクタ２０によって非枢動可能に支持すること又はコネクタ２０と一体的に形成することができ、一体ハウジング（ヘッド１１として説明される）及びコネクタ（チャンバ１５として説明される）に関連する米国特許第６，０２６，５７７号の開示内容は、参考のために本明細書に組み込まれている。安全かみそり１０は、中心面２２を定めることができる。
【００２０】
さらに図３を参照すると、コネクタ２０は、リム５４を備えた開口部５２及び開口部５２の反対側の遠隔部５６を有する凹部５０を含む。遠隔部５６は、ユーザーがハンドル１２からカートリッジ１４を取り外すためにボタン４２（エジェクタ４０に結合した）を作動させる場合に、第１のエジェクタ４０の脚部４４の遠位端４６（以下に説明する）が押し付けられる内面５８を有する。コネクタ２０は、それぞれかみそりハンドル１２の離間したパネル６０、６４の戻り止め６２、６６（以下に説明する）に係合される対向する窪み７０、７２を有し、安全かみそり１０の通常使用のためにカートリッジ１４をハンドル１２にしっかり固定するようになっている。理論に制約されないが、本出願人は、米国公開第２０１６／０１０１５３１号と類似の装置において、第１のエジェクタ４０が作動すると、内面５８に作用する遠位端４６のエジェクタ力（図３のＦｅ）がコネクタ内で応力を引き起こし、結果として対向する窪み７０、７２の間に定められたコネクタの入口幅「ｄ」が縮小する場合があることを見出している。これは結果として、開口部において内向きの力Ｆｏを引き起こし、これは、コネクタ凹部５０（及びその窪み７０、７２）の離間したパネル６０、６４（及びその戻り止め６２、６６）に対する摩擦係合を増大させ、係合力が増大し、かみそりカートリッジ１４をハンドル１２から上手く取り外すのに必要なユーザー付加ボタン力が不適切に増大する。
【００２１】
図４及び５を参照すると、図１の安全かみそり１０のハンドル１２のみの斜視図が示されており、それぞれ、ボタン４２およびこれが結合する第１のエジェクタ４０は、静止位置及びかみそりカートリッジ１２を取り出すためのユーザー作動位置にある。ハンドルは、ハンドグリップ構造体３０と、ハンドグリップ構造体３０に沿って摺動可能であり、ユーザーがエジェクタ４０に結合したボタン４２を操作することで作動する第１のエジェクタ４０を含む。第１のエジェクタ４０は、Ｕ形状とすることができ、中心面２２の反対側に配置された各脚部４４を有しさらに遠位端４６を有する。ユーザーがかみそりカートリッジ１４をハンドル１２から分離する又は取り出すためにボタン４２を作動させると、各脚部４４の遠位端４６は、かみそりカートリッジ１４のコネクタ２０の内面（５８、図３、６及び７参照）に接触してこれを押す。
【００２２】
ハンドル１２は、対向するパネル６０、６４を含み、各々は、カートリッジ１４をハンドル１２に結合するためにコネクタ２０の窪み７０、７２に係合するようになった戻り止め６２、６６を保持する。
【００２３】
また、ハンドル１２は、他のタイプのかみそりカートリッジ及びそのコネクタに係合するように構成された伸長部２４を含むことができる。これは、米国公開第２０１６／０１０１５３１号に記載されており、その主題は、かみそりカートリッジとハンドルとの間の結合に関するものとして全体として本明細書に組み込まれている。本開示との関連において、この相互結合特徴部、例えば戻り止め及びそれぞれの窪みは、伸長部２４とコネクタ２０との間、及び／又はパネル６０、６４とコネクタとの間に設けることができる。本明細書で示すように、コネクタ２０は、窪み７０、７２を保持するが、この相互結合構成は、コネクタが戻り止め６２、６６の一部又は全てを保持するように完全に又は部分的に逆にすることができる。
【００２４】
また、ボタン４２は、ユーザーが、かみそりカートリッジ１４をハンドル１２から分離するか取り出すためにボタン４２を操作すると、かみそりカートリッジ１４のコネクタ２０の開口部５２に接触してこれを押すようになった、第２のエジェクタ構造体８０を含む。好ましくは、第２のエジェクタ構造体８０は、開口部５２のリム５４に接触してこれを押す。好ましくは、図４及び５に示すように、第２のエジェクタ構造体８０は、ボタン４２に一体形成される。また、第２のエジェクタ構造体８０は、ボタン４２に結合された別個の構成部品とすることができる（図８に示す）。第２のエジェクタ構造体８０は、ハンドル１２の溝８２に収容されこれに沿って摺動することができる。
【００２５】
さらに図６及び７を参照すると、これらは図１の安全かみそり１０の断面図を示す。これらはそれぞれ、ボタン４２が静止位置ありハンドル１２に結合されたカートリッジ１４と、ユーザーがボタン４２を作動させた後にハンドル１２から取り出されたカートリッジ１４を示す。図６を参照して図７から分かるように、第２のエジェクタ構造体８０が１つの側面上で開口部５２に作用する場合、取り出しの間にハンドル１２から離れるカートリッジ１４の移動経路９０は非直線である。
【００２６】
さらに図８を参照すると、これはコネクタ２０及びボタン４２の概略断面図を示し、ボタン４２には、内面５８から離間するがこれを押すように構成された第１のエジェクタ４０及び開口部５２（リム５４）から離間するがこれを押すように構成されたに第２のエジェクタ構造体８０が結合する。それぞれの押し動作は同期して同時に又は連続して生じることができる。例えば、第２のエジェクタ構造体８０は、第１のエジェクタ４０が内面５８に接触する少し前に開口部５２に接触することができる。
【００２７】
第１のエジェクタ４０及び第２のエジェクタ構造体８０の複合作用は、何らかの増大した係合力を解消して、ユーザーが、適切なユーザー付与力でカートリッジ１４をハンドル１２から取り外すのを可能にする。
【００２８】
当業者であれば、特許請求の範囲で定義された本開示の範囲を逸脱することなく変形及び変更を行い得ることを認識できるはずである。いずれかの実施形態に関連して開示された特徴部は、単独で又はそれぞれの他の実施形態の各特徴部と組み合わせて使用することができる。
【符号の説明】
【００２９】
１０  安全かみそり
１２  ハンドル
１４  かみそりカートリッジ
１６  ハウジング
２０  コネクタ
４０  第１のエジェクタ
４６  遠位端部
５０  凹部
５２  開口部
５６  遠隔部
８０  第２のエジェクタ構造体
【図１】
2021504042.tif 000003
【図２】
2021504042.tif 000004
【図３】
2021504042.tif 000005
【図４】
2021504042.tif 000006
【図５】
2021504042.tif 000007
【図６】
2021504042.tif 000008
【図７】
2021504042.tif 000009
【図８】
2021504042.tif 000010
【国際調査報告】
2021504042.tif 000011
2021504042.tif 000012